(57)【要約】【課題】  携帯情報端末に備えられた監視モードを設定した後に、第三者によりキー操作が行われたことを監視する機能を備えていることを予め公開することにより、プライバシー侵害により発生するトラブルを未然に回避することが可能な携帯情報端末を提供する。【解決手段】  この携帯電話１００は、受話音を発するレシーバ１と、発生音を送話するマイク９と、マイク９からの音声またはメールデータを変調してアンテナ２２から電磁波として送信する送信部とアンテナ２２から受信した電磁波を復調して音声または文字データに変換する受信部を備えた送受信部２１と、図１の各種ボタンの入力データを受け取る入力部（入力手段）２０と、現在の状況やメッセージなどを表示する表示部（表示手段）１５と、各部の制御を司る制御部２３と、制御部２３の制御手順をプログラミングして格納する読取専用メモリ（ＲＯＭ）２４と、を備えて構成される。【選択図】  図２
2006060685.tif 000002
【特許請求の範囲】
【請求項１】
表示手段及び入力手段を備えた携帯情報端末であって、当該携帯情報端末の入力手段が操作権者以外の第三者により操作されたことを監視する監視モードを設定する監視モード設定手段と、前記監視モードが設定された後に前記入力手段が操作されたことを検知する入力検知手段と、を備え、
前記監視モード設定手段により監視モードが設定された後、前記入力手段が操作されたことを前記入力検知手段が検知した場合、前記表示手段の表示内容の一部又は全部を変化させることを特徴とする携帯情報端末。
【請求項２】
表示手段及び入力手段を備えた携帯情報端末であって、当該携帯情報端末の入力手段が操作権者以外の第三者により操作されたことを監視する監視モードを設定する監視モード設定手段と、前記監視モードが設定された後に前記入力手段が操作されたことを検知する入力検知手段と、該入力検知手段により検知された入力手段の履歴情報を記録する履歴情報記録手段と、を備え、
前記監視モード設定手段により監視モードが設定された後、前記入力手段が操作されたことを前記入力検知手段が検知した場合、前記表示手段の表示内容の一部又は全部を変化させると共に、前記履歴情報記録手段に前記入力検知手段により検知された入力手段の履歴情報を記録することを特徴とする携帯情報端末。
【請求項３】
表示手段及び入力手段を備えた携帯情報端末であって、当該携帯情報端末の入力手段が操作権者以外の第三者により操作されたことを監視する監視モードを設定する監視モード設定手段と、前記監視モードが設定された後に前記入力手段が操作されたことを検知する入力検知手段と、を備え、
前記監視モード設定手段により監視モードが設定された場合、前記表示手段に監視モード中であることを表示し、前記入力手段が操作されたことを前記入力検知手段が検知した場合、前記表示手段の表示内容の一部又は全部を変化させることを特徴とする携帯情報端末。
【請求項４】
表示手段及び入力手段を備えた携帯情報端末であって、当該携帯情報端末の入力手段が操作権者以外の第三者により操作されたことを監視する監視モードを設定する監視モード設定手段と、前記監視モードが設定された後に前記入力手段が操作されたことを検知する入力検知手段と、該入力検知手段により検知された入力手段の履歴情報を記録する履歴情報記録手段と、を備え、
前記監視モード設定手段により監視モードが設定された場合、前記表示手段に監視モード中であることを表示し、前記入力手段が操作されたことを前記入力検知手段が検知した場合、前記表示手段の表示内容の一部又は全部を変化させると共に、前記履歴情報記録手段に前記入力検知手段により検知された入力手段の履歴情報を記録することを特徴とする携帯情報端末。
【請求項５】
前記入力手段の所定の部分が操作されると前記履歴情報記録手段に記録された履歴情報を前記表示手段に表示することを特徴とする請求項２又は４に記載の携帯情報端末。
【請求項６】
前記入力手段による入力が所定の条件を満足した場合、前記監視モードを解除することを特徴とする請求項１乃至５の何れか一項に記載の携帯情報端末。
【請求項７】
前記表示手段に示す表示内容の状態変化は、表示内容の一部又は全部の削除、追加、又は表示色の変化であることを特徴とする請求項１乃至６の何れか一項に記載の携帯情報端末。
【請求項８】
表示手段及び入力手段を備えた携帯情報端末の制御方法であって、当該携帯情報端末の入力手段が操作権者以外の第三者により操作されたことを監視するための監視モードを設定する監視モード設定ステップと、前記監視モードが設定された後に前記入力手段が操作されたことを検知する入力検知ステップと、を備え、
前記監視モード設定ステップにより監視モードが設定された後、前記入力手段が操作されたことを前記入力検知ステップにより検知した場合、前記表示手段の表示内容の一部又は全部を変化させることを特徴とする携帯情報端末の制御方法。
【請求項９】
表示手段及び入力手段を備えた携帯情報端末の制御方法であって、当該携帯情報端末の入力手段が操作権者以外の第三者により操作されたことを監視するための監視モードを設定する監視モード設定ステップと、前記監視モードが設定された後に前記入力手段が操作されたことを検知する入力検知ステップと、該入力検知ステップにより検知された入力手段の履歴情報を記録する履歴情報記録ステップと、を備え、
前記監視モード設定ステップにより監視モードが設定された後、前記入力手段が操作されたことを前記入力検知ステップにより検知した場合、前記表示手段の表示内容の一部又は全部を変化させると共に、前記履歴情報記録ステップにより前記入力検知ステップにより検知した入力手段の履歴情報を記録することを特徴とする携帯情報端末の制御方法。
【請求項１０】
表示手段及び入力手段を備えた携帯情報端末の制御方法であって、当該携帯情報端末の入力手段が操作権者以外の第三者により操作されたことを監視するための監視モードを設定する監視モード設定ステップと、前記監視モードが設定された後に前記入力手段が操作されたことを検知する入力検知ステップと、を備え、
前記監視モード設定ステップにより監視モードが設定された場合、前記表示手段に監視モード中であることを表示し、前記入力手段が操作されたことを前記入力検知ステップにより検知した場合、前記表示手段の表示内容の一部又は全部を変化させることを特徴とする携帯情報端末の制御方法。
【請求項１１】
表示手段及び入力手段を備えた携帯情報端末の制御方法であって、当該携帯情報端末の入力手段が操作権者以外の第三者により操作されたことを監視するための監視モードを設定する監視モード設定ステップと、前記監視モードが設定された後に前記入力手段が操作されたことを検知する入力検知ステップと、該入力検知ステップにより検知された入力手段の履歴情報を記録する履歴情報記録ステップと、を備え、
前記監視モード設定ステップにより監視モードが設定された場合、前記表示手段に監視モード中であることを表示し、前記入力手段が操作されたことを前記入力検知ステップにより検知した場合、前記表示手段の表示内容の一部又は全部を変化させると共に、前記履歴情報記録ステップにより前記入力検知ステップにより検知した入力手段の履歴情報を記録することを特徴とする携帯情報端末の制御方法。
【請求項１２】
前記入力手段の所定の部分が操作されると前記履歴情報記録ステップにより記録された履歴情報を前記表示手段に表示することを特徴とする請求項９又は１１に記載の携帯情報端末の制御方法。
【請求項１３】
前記入力手段による入力が所定の条件を満足した場合、前記監視モードを解除することを特徴とする請求項８乃至１２の何れか一項に記載の携帯情報端末の制御方法。
【請求項１４】
前記表示手段に示す表示内容の状態変化は、表示内容の一部又は全部の削除、追加、又は表示色を変化させることであることを特徴とする請求項８乃至１３の何れか一項に記載の携帯情報端末の制御方法。
【請求項１５】
請求項８乃至１４の何れか一項に記載の携帯情報端末の制御方法をコンピュータが制御可能にプログラミングしたことを特徴とする携帯情報端末の制御プログラム。
【請求項１６】
請求項１５に記載の携帯情報端末の制御プログラムをコンピュータが読み取り可能な形式で記録したことを特徴とする記録媒体。
【発明の詳細な説明】
【技術分野】
【０００１】
本発明は、携帯情報端末に関し、さらに詳しくは、携帯情報端末が第三者により操作されたことを監視することができる携帯情報端末の制御方法に関するものである。
【背景技術】
【０００２】
近年、携帯情報端末、とりわけ携帯電話の普及にはめざましいものがあり、一家に１台を超えて成人一人に１台程度の高い割合で普及している。この背景には、サービスエリアの拡大と、携帯電話機器のハード的な性能が向上したことによる要因と、操作性の向上にみられるソフト的な要因が考えられる。特に、近年では通話以外に電子メールによる情報の授受が増大し、コミュニケーションの拡大を更に助長している。しかし、携帯電話の普及に伴って、情報のセキュリティが侵されるといった問題が発生し、今後の課題となっている。
ここで、情報のセキュリティを確保する場合、特に電子メールの情報が他人に漏洩することを防止するために情報の暗号化等が行われている。また、個人の携帯電話を無断で操作されて情報が盗まれることを防止するために、携帯電話にロック機能を付加している。このように、従来では、個人情報の漏洩を防止するために、暗号化やロック機能といった手段により情報を第三者に見られないようにすることに腐心していた。
【発明の開示】
【発明が解決しようとする課題】
【０００３】
ところで、夫婦、親子、兄弟等の親しい家族関係や、ビジネスパートナーや同僚等のごく親しい人間関係においても、他者に知られたくない個人的な情報、仕事上の情報等（特に、送受信の相手先情報）は多々あり、そのような情報が携帯電話に記録されている場合には、ロック機能を利用して他者による情報へのアクセスを阻止することは可能であるし、また自己の秘密を他者に知られない権利は憲法によって保証されている。
しかし、一方で、携帯電話に備わっているロック機能を日常的に設定したことがなかった所有者が、個人的、仕事上の事情等によって守秘すべき情報、連絡先を保有するに至った結果、必要に迫られて急にロック機能を使用し始めると、家族、その他の周囲の第三者はその携帯電話の所有者が、好ましくない取引相手、人物等と連絡をとっているのではないか、法律に違背する行為を始めたのではないか、或いは他人に知られたくない情報を持っているのではないか等々の疑惑、誤解を持ち易く、これが親しかった人間関係に支障を来す原因ともなり得る。
また、ロック機能を設定し忘れた状態で携帯電話を放置した結果、他者に記録内容を読まれることも多々ある。
本発明はかかる課題に鑑みてなされたものであり、ロック機能といった守秘機能を使用せずに、他者による操作の有無を監視する機能が設定されていることを警告表示することにより、他者が勝手に携帯電話を操作することを防止する予防的機能を発揮させると共に、ロック機能を設定し忘れて携帯電話を放置した場合であっても他者による操作を監視中であることを表示し、他者が勝手に操作した場合にはその旨を表示させることにより、操作された事実を把握することを可能ならしめるものである。
つまり、本発明では、携帯情報端末に備えられた監視モードを設定した後に、第三者によりキー操作が行われたことを監視する機能を備えていることを予め公開することにより、プライバシー侵害により発生するトラブルを未然に回避することが可能な携帯情報端末を提供することを目的とする。
【課題を解決するための手段】
【０００４】
本発明はかかる課題を解決するために、請求項１は、表示手段及び入力手段を備えた携帯情報端末であって、当該携帯情報端末の入力手段が操作権者以外の第三者により操作されたことを監視する監視モードを設定する監視モード設定手段と、前記監視モードが設定された後に前記入力手段が操作されたことを検知する入力検知手段と、を備え、前記監視モード設定手段により監視モードが設定された後、前記入力手段が操作されたことを前記入力検知手段が検知した場合、前記表示手段の表示内容の一部又は全部を変化させることを特徴とする。
表示手段及び入力手段を備えた携帯情報端末は、監視モードを選択的に設定することができる。そして監視モードを設定した後、第三者が入力手段のキーを操作すると、表示手段の一部又は全部の表示内容を変化させる。それにより携帯情報端末の所有者は表示内容の変化により第三者がキー操作したことを確認することができる。
請求項２は、表示手段及び入力手段を備えた携帯情報端末であって、当該携帯情報端末の入力手段が操作権者以外の第三者により操作されたことを監視する監視モードを設定する監視モード設定手段と、前記監視モードが設定された後に前記入力手段が操作されたことを検知する入力検知手段と、該入力検知手段により検知された入力手段の履歴情報を記録する履歴情報記録手段と、を備え、前記監視モード設定手段により監視モードが設定された後、前記入力手段が操作されたことを前記入力検知手段が検知した場合、前記表示手段の表示内容の一部又は全部を変化させると共に、前記履歴情報記録手段に前記入力検知手段により検知された入力手段の履歴情報を記録することを特徴とする。
本発明は請求項１に監視モード設定後に入力手段により入力された履歴情報を記録する履歴情報記録手段を更に備えたものである。これにより、請求項１の作用と共に、第三者がどのようにキー操作したかを後で確認することができる。
【０００５】
請求項３は、表示手段及び入力手段を備えた携帯情報端末であって、当該携帯情報端末の入力手段が操作権者以外の第三者により操作されたことを監視する監視モードを設定する監視モード設定手段と、前記監視モードが設定された後に前記入力手段が操作されたことを検知する入力検知手段と、を備え、前記監視モード設定手段により監視モードが設定された場合、前記表示手段に監視モード中であることを表示し、前記入力手段が操作されたことを前記入力検知手段が検知した場合、前記表示手段の表示内容の一部又は全部を変化させることを特徴とする。
表示手段及び入力手段を備えた携帯情報端末は、監視モードを選択的に設定することができる。そしてこの監視モードを設定すると携帯情報端末の所有者に対してモード設定中であることがわかるように、予め決めた内容を表示部に表示する。監視モードを設定した後、第三者が入力手段のキーを操作すると、表示手段の一部又は全部の表示内容を変化させる。それにより携帯情報端末の所有者は表示内容の変化により第三者がキー操作したことを確認することができる。
請求項４は、表示手段及び入力手段を備えた携帯情報端末であって、当該携帯情報端末の入力手段が操作権者以外の第三者により操作されたことを監視する監視モードを設定する監視モード設定手段と、前記監視モードが設定された後に前記入力手段が操作されたことを検知する入力検知手段と、該入力検知手段により検知された入力手段の履歴情報を記録する履歴情報記録手段と、を備え、前記監視モード設定手段により監視モードが設定された場合、前記表示手段に監視モード中であることを表示し、前記入力手段が操作されたことを前記入力検知手段が検知した場合、前記表示手段の表示内容の一部又は全部を変化させると共に、前記履歴情報記録手段に前記入力検知手段により検知された入力手段の履歴情報を記録することを特徴とする。
本発明は請求項３に監視モード設定後に入力手段により入力された履歴情報を記録する履歴情報記録手段を更に備えたものである。これにより、請求項３の作用と共に、第三者がどのようにキー操作したかを後で確認することができる。
【０００６】
請求項５は、前記入力手段の所定の部分が操作されると前記履歴情報記録手段に記録された履歴情報を前記表示手段に表示することを特徴とする。
履歴情報は所定のキー操作を行わなければ見ることができない。即ち、入力手段のキーが予め決められた手順で操作された場合に履歴情報を表示手段に表示するものである。
請求項６は、前記入力手段による入力が所定の条件を満足した場合、前記監視モードを解除することを特徴とする。
監視モードに設定中であることを第三者が知りえたとしても、その監視モードの解除方法を知らなければ本発明の機能は有効に作用する。従って、監視モードの解除方法は秘密にすると共に、容易に解除できない方法で設定する必要がある。例えば、複数のキーの組み合わせや、複数のキーの操作順を正確に操作した場合に限り解除するようにする。
請求項７は、前記表示手段に示す表示内容の状態変化は、表示内容の一部又は全部の削除、追加、又は表示色の変化であることを特徴とする。
第三者が監視モード中にキー操作して元の状態に戻したとき、表示部の表示内容の変化が第三者に容易にわからないようにする必要がある。その一例として、文字の一部を欠落させたり、一部の色を変更したり、或いは一つの文字を消去するといった方法がある。
【０００７】
請求項８は、表示手段及び入力手段を備えた携帯情報端末の制御方法であって、当該携帯情報端末の入力手段が操作権者以外の第三者により操作されたことを監視するための監視モードを設定する監視モード設定ステップと、前記監視モードが設定された後に前記入力手段が操作されたことを検知する入力検知ステップと、を備え、前記監視モード設定ステップにより監視モードが設定された後、前記入力手段が操作されたことを前記入力検知ステップにより検知した場合、前記表示手段の表示内容の一部又は全部を変化させることを特徴とする。
この請求項８は請求項１と同様の作用効果を奏する。
請求項９は、表示手段及び入力手段を備えた携帯情報端末の制御方法であって、当該携帯情報端末の入力手段が操作権者以外の第三者により操作されたことを監視するための監視モードを設定する監視モード設定ステップと、前記監視モードが設定された後に前記入力手段が操作されたことを検知する入力検知ステップと、該入力検知ステップにより検知された入力手段の履歴情報を記録する履歴情報記録ステップと、を備え、前記監視モード設定ステップにより監視モードが設定された後、前記入力手段が操作されたことを前記入力検知ステップにより検知した場合、前記表示手段の表示内容の一部又は全部を変化させると共に、前記履歴情報記録ステップにより前記入力検知ステップにより検知した入力手段の履歴情報を記録することを特徴とする。
この請求項９は請求項２と同様の作用効果を奏する。
請求項１０は、表示手段及び入力手段を備えた携帯情報端末の制御方法であって、当該携帯情報端末の入力手段が操作権者以外の第三者により操作されたことを監視するための監視モードを設定する監視モード設定ステップと、前記監視モードが設定された後に前記入力手段が操作されたことを検知する入力検知ステップと、を備え、前記監視モード設定ステップにより監視モードが設定された場合、前記表示手段に監視モード中であることを表示し、前記入力手段が操作されたことを前記入力検知ステップにより検知した場合、前記表示手段の表示内容の一部又は全部を変化させることを特徴とする。
この請求項１０は請求項３と同様の作用効果を奏する。
【０００８】
請求項１１は、表示手段及び入力手段を備えた携帯情報端末の制御方法であって、当該携帯情報端末の入力手段が操作権者以外の第三者により操作されたことを監視するための監視モードを設定する監視モード設定ステップと、前記監視モードが設定された後に前記入力手段が操作されたことを検知する入力検知ステップと、該入力検知ステップにより検知された入力手段の履歴情報を記録する履歴情報記録ステップと、を備え、前記監視モード設定ステップにより監視モードが設定された場合、前記表示手段に監視モード中であることを表示し、前記入力手段が操作されたことを前記入力検知ステップにより検知した場合、前記表示手段の表示内容の一部又は全部を変化させると共に、前記履歴情報記録ステップにより前記入力検知ステップにより検知した入力手段の履歴情報を記録することを特徴とする。
この請求項１１は請求項４と同様の作用効果を奏する。
請求項１２は、前記入力手段の所定の部分が操作されると前記履歴情報記録ステップにより記録された履歴情報を前記表示手段に表示することを特徴とする。
この請求項１２は請求項５と同様の作用効果を奏する。
請求項１３は、前記入力手段による入力が所定の条件を満足した場合、前記監視モードを解除することを特徴とする。
この請求項１３は請求項６と同様の作用効果を奏する。
請求項１４は、前記表示手段に示す表示内容の状態変化は、表示内容の一部又は全部の削除、追加、又は表示色を変化させることであることを特徴とする。
この請求項１４は請求項７と同様の作用効果を奏する。
請求項１５は、請求項８乃至１４の何れか一項に記載の携帯情報端末の制御方法をコンピュータが制御可能にプログラミングしたことを特徴とする。
請求項１６は、請求項１５に記載の携帯情報端末の制御プログラムをコンピュータが読み取り可能な形式で記録したことを特徴とする。
【発明の効果】
【０００９】
以上記載のごとく請求項１、８の発明によれば、携帯情報端末の所有者により監視モードが設定された後、第三者により入力手段が操作されたことを入力検知手段が検知した場合、表示手段の表示内容の一部又は全部を変化させるので、入力手段が操作されたことを第三者には容易にわからないまま確認することができる。
また請求項２、９では、請求項１に監視モード設定後に入力手段により入力された履歴情報を記録する履歴情報記録手段を更に備えたので、第三者が監視モード中に操作した履歴を確認することができる。
また請求項３、１０では、携帯情報端末の所有者により監視モードが設定された場合、表示手段に監視モード中であることを表示し、その後、第三者により入力手段が操作されたことを入力検知手段が検知した場合、表示手段の表示内容の一部又は全部を変化させるので、入力手段が操作されたことを第三者には容易にわからないまま確認することができる。
また請求項４、１１では、請求項３に監視モード設定後に入力手段により入力された履歴情報を記録する履歴情報記録手段を更に備えたので、第三者が監視モード中に操作した履歴を確認することができる。
また請求項５、１２では、履歴情報は入力手段の所定の部分が操作されると表示手段に表示するので、第三者により無断で履歴情報を見られたり、消去されることを防ぐことができる。
また請求項６、１３では、監視モードの解除は、入力手段による入力が所定の条件を満足した場合に解除するので、第三者により無断で解除されることを防ぐことができる。
また請求項７、１４では、表示手段に第三者が操作されたことを表示する表示内容は、表示内容の一部又は全部の削除、追加、又は表示色を変化させるので、第三者に容易に表示内容が変化したことを判断できないようにすることができる。
また請求項１５では、本発明の携帯情報端末の制御方法をコンピュータが制御可能なＯＳに従ってプログラミングすることにより、そのＯＳを備えたコンピュータであれば同じ処理方法により制御することができる。
また請求項１６では、携帯情報端末の制御プログラムをコンピュータが読み取り可能な形式で記録媒体に記録することにより、この記録媒体を持ち運ぶことにより何処でもプログラムを稼動することができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は携帯電話の外観の一例を示す図である。この携帯電話１００は、受話音を発するレシーバ１と、マルチメニューを呼び出すメニューボタン２と、機能設定メニューやメモリダイヤルを呼び出すマルチファンクションボタン３と、メール、ウエブステーションやカメラを利用するときに使用する特殊ボタン４と、電話をかけるときや受けるときに使用する開始ボタン５と、文字を入力するときに使用する文字、小文字ボタン６と、電話番号や文字を入力するときに使用するダイヤルボタン７と、＊や記号を入力するときに使用する＊ボタン８と、発生音を送話するマイク９と、＃を入力するときやマナーモードを設定するときに使用する＃ボタン１０と、ショートカットメニューを呼び出すときに使用するショートカットボタン１１と、入力した電話番号や文字を消去するときに使用するクリアボタン１２と、電源のＯＮ／ＯＦＦや通話を終了するとき、操作を終了し待ち受け画面に戻るときに使用する電源・終了ボタン１３と、メールを使用するときやスケジュールの確認に使用するスケジュールボタン１４と、現在の状況やメッセージなどを表示する表示部１５と、を備えて構成される。
【００１１】
次に携帯電話１００の一般的な動作について、通話の場合とメールの場合に分けて説明する。まず、一般の通話の場合は、相手の電話番号をダイヤルボタン７を押すことにより、表示部１５に押された電話番号が表示される。操作者はその番号を確認して正しければ開始ボタン５を押す。これにより携帯電話１００から入力された電話番号が送信され相手を呼び出す。そして相手が電話に出ると回線が接続され通話が可能となる。通話が終了すると電源・終了ボタン１３を押すことにより回線が切断されて通話が終了し、表示部１５は待ち受け画面に戻る。
次にメール送信の場合について説明する。まずスケジュールボタン１４を押すと、表示部１５に機能設定メニューが表示され、その中からメールを選択するためにマルチファンクションボタン３を操作する。そしてアドレス、メッセージ等をダイヤルボタン７により入力する。入力が終了すると特殊ボタン４を押すことにより情報が送信される。
尚、以上の操作はあくまでも一例であり、機種が異なれば操作方法が異なることは言うまでもない。
【００１２】
図２は本発明の携帯電話（携帯情報端末）１００の機能ブロック図である。同じ構成要素には同じ参照番号を付して説明する。この携帯電話１００は、受話音を発するレシーバ１と、発生音を送話するマイク９と、マイク９からの音声またはメールデータを変調してアンテナ２２から電磁波として送信する送信部とアンテナ２２から受信した電磁波を復調して音声または文字データに変換する受信部を備えた送受信部２１と、図１の各種ボタンの入力データを受け取る入力部（入力手段）２０と、現在の状況やメッセージなどを表示する表示部（表示手段）１５と、各部の制御を司る制御部２３と、制御部２３の制御手順をプログラミングして格納する読取専用メモリ（ＲＯＭ）２４と、を備えて構成される。
次に本発明の第１の実施形態について、図３と図５を参照して説明する。図３は待ち受け画面から監視モード中に第三者がボタンを操作したことを表示する一例を示す図である。図５は本発明の第１の実施形態の動作フローチャートである。まず携帯電話１００の所有者は監視モードを設定するために、例えば＊ボタン８と＃ボタン１０を順番に押す（Ｓ１のＹＥＳのルート）。すると制御部２３は監視モードが設定されたことを検知して、表示部１５の表示画面を図３（ａ）の待ち受け画面３２から図３（ｂ）のように例えば日付の下にアンダーライン３５を表示する（Ｓ２）。この一連の動作は監視モード設定手段により行われる。この状態で携帯電話１００は入力検知手段により監視対象のボタンが押されたかを監視する（Ｓ３）。もし押されなければ（Ｓ３でＮＯのルート）監視モードが解除されるまで監視を継続する。ステップＳ３で例えば第三者が着信履歴を見るためにマルチファンクションボタン３を操作したとすると、入力検知手段がそれを検知して（Ｓ３でＹＥＳのルート）、表示部１５の表示画面を図３（ｃ）のように例えば「６／１７  ＴＨＵ」３６の「Ｈ」の文字の一部３６ａを欠落させる（Ｓ４）。尚、この表示を変化させる動作は第三者が操作を終了して、電源・終了ボタン１３を押して表示部１５の画面を図３（ａ）の待ち受け画面にした時点で行うものである。そして、所有者が表示画面を見て図３（ｃ）のように画面が変化していれば第三者により操作されたことを認識することができ、画面が変化していなければ何も操作されていないことを認識することができる。いずれにしても監視モードを解除するために、例えば監視モードを設定した時の逆の操作（＃ボタン１０と＊ボタン８を順番に押す）をして（Ｓ５でＹＥＳのルート）、表示部１５の表示画面を図３（ｂ）或いは図３（ｃ）の画面から図３（ａ）の待ち受け画面に戻すことができる（Ｓ６）。それにより通常モードに復帰する（Ｓ７）。ステップＳ１で監視モードに設定しなければ常に通常モードである（Ｓ７）。
【００１３】
このように表示部１５及び入力部２０を備えた携帯電話１００は、監視モードを選択的に設定することができる。そしてこの監視モードを設定すると携帯電話１００の所有者に対してモード設定中であることがわかるように、予め決めた内容（例えばアンダーライン等）を表示部１５に表示する。監視モードを設定した後、第三者が入力部２０のキーを操作すると、表示部１５の一部の表示内容を変化させる。それにより携帯電話１００の所有者は表示内容の変化により第三者がキー操作したことを確認することができる。
即ち、携帯電話１００の所有者により監視モードが設定された場合、表示部１５に監視モード中であることを表示し、その後、第三者により入力部２０が操作されたことを入力検知手段が検知した場合、表示部１５の表示内容の一部又は全部を変化させるので、入力部２０が操作されたことを第三者には容易にわからないようにして確認することができる。
尚、必ずしも表示部１５に監視モード中であることを表示する必要はなく、所有者が監視モードにしたことを記憶するようにしても良い。例えば、監視モードにした場合に、一時的に監視モードが設定されたことを音声或いは表示により通知するようにしても良い。
【００１４】
次に本発明の第２の実施形態について、図４と図６を参照して説明する。図４は本発明の履歴情報の一例を示す図である。図６は本発明の第２の実施形態の動作フローチャートである。まず携帯電話１００の所有者は監視モードを設定するために、例えば＊ボタン８と＃ボタン１０を順番に押す（Ｓ１１のＹＥＳのルート）。すると制御部２３は監視モードが設定されたことを検知して、表示部１５の表示画面を図３（ａ）の待ち受け画面３２から図３（ｂ）のように例えば日付の下にアンダーライン３５を表示する（Ｓ１２）。この一連の動作は監視モード設定手段により行われる。この状態で携帯電話１００は入力検知手段により監視対象のボタンが押されたかを監視する（Ｓ１３）。もし押されなければ（Ｓ１３でＮＯのルート）監視モードが解除されるまで監視を継続する。ステップＳ１３で例えば第三者がメール内容を見るためにスケジュールボタン１４を操作したとすると、入力検知手段がそれを検知して（Ｓ１３でＹＥＳのルート）、表示部１５の表示画面を図３（ｃ）のように例えば「６／１７  ＴＨＵ」３６の「Ｈ」の文字の一部３６ａを欠落させると共に、履歴情報記録手段に履歴情報を記録する（Ｓ１４）。尚、この表示を変化させる動作は第三者が操作を終了して、電源・終了ボタン１３を押して表示部１５の画面を図３（ａ）の待ち受け画面にした時点で行うものである。そして、所有者が表示画面を見て図３（ｃ）のように画面が変化していれば第三者により操作されたことを認識することができ、画面が変化していなければ何も操作されていないことを認識することができる。いずれにしても監視モードを解除するために、例えば監視モードを設定した時の逆の操作（＃ボタン１０と＊ボタン８を順番に押す）をして（Ｓ１５でＹＥＳのルート）、表示部１５の表示画面を図３（ｂ）或いは図３（ｃ）の画面から図３（ａ）の待ち受け画面に戻すことができる（Ｓ１６）。そして所有者が表示画面を見て図３（ｃ）のように画面が変化していれば第三者により操作されたことを認識できるので、その履歴情報を見たい場合は例えばダイヤルボタン７の「１」「２」「３」を順番に押すことにより、検索キーが押されたと制御部２３が判断する（Ｓ１７のＹＥＳのルート）。それにより履歴情報記録手段に記録されている履歴情報を図４（ａ）のように表示部１５に表示して（詳細は後述する）（Ｓ１８）、終了ボタン１３が押されると（Ｓ１９のＹＥＳのルート）通常モードにもどる（Ｓ２０）。またステップＳ１１で監視モードに設定しなければ常に通常モードである（Ｓ２０）。
このように履歴情報は所定のボタン操作を行わなければ見ることができない。即ち、入力部２０のボタンが予め決められた手順で操作された場合に履歴情報を表示部１５に表示するものである。また監視モードに設定中であることを第三者が知りえたとしても、その監視モードの解除方法を知らなければ本発明の機能は有効に作用する。従って、監視モードの解除方法は秘密にすると共に、容易に解除できない方法で設定する必要がある。例えば、複数のボタンの組み合わせや、複数のボタンの操作順を正確に操作した場合に限り解除するようにする。また第三者が監視モード中にボタン操作して待ち受け画面状態に戻したとき、表示部１５の表示内容の変化が第三者に容易にわからないようにする必要がある。その一例として、文字の一部を欠落させたり、一部の色を変更したり、或いは一つの文字を消去するといった方法がある。
【００１５】
図４は履歴情報の一例を示す図である。図４（ａ）は表示部１５に表示画面を表し、図４（ｂ）は表示画面の詳細な内容を示す図である。この例では第三者がメールの内容を見るためのボタン操作の履歴情報である。例えばダイヤルボタン７の「１」「２」「３」を順番に押すことにより、検索キーが押されたと制御部２３が判断する（Ｓ１７のＹＥＳのルート）。それにより履歴情報記録手段に記録されている履歴情報を表示画面３２のように表示する。先頭に履歴情報であることを表示するタイトル４０が表示される。その下に操作の順番にボタン名が表示される。まず、１）メールを検索するためにスケジュールボタン１４が押された。２）次にＭＦ（マルチファンクション）ボタン３が押されて受信メールが選択された。３）次に同じくＭＦボタン３が押されて一般フォルダが選択された。４）次に同じくＭＦボタン３が押されてメールの送信者（ＡＢＣさん）を選択した。５）次に同じくＭＦボタン３が押されてメール内容が表示された。６）次にスクロールボタンが押されて内容をスクロールした。７）最後に電源・終了ボタン１３が押されて待ち受け画面に戻された。という履歴が確認できる。
このように監視モード設定後に入力部２０により入力された履歴情報を記録する履歴情報記録手段を更に備えることにより、第三者が監視モード中に操作した履歴を確認することができる。また履歴情報は入力部２０の所定の部分が操作されると表示部１５に表示するので、第三者により無断で履歴情報を見られたり、消去されることを防ぐことができる。また、監視モードの解除は、入力部２０による入力が所定の条件を満足した場合に解除するので、第三者により無断で解除されることを防ぐことができる。また、表示部１５に第三者が操作されたことを表示する表示内容は、表示内容の一部又は全部の削除、追加、又は表示色を変化させるので、第三者に容易に表示内容が変化したことを判断できないようにすることができる。
以上、携帯電話の場合を例にとって説明したが、表示部と入力部を備えた形態情報端末であればこれに限定されるものではない。
【図面の簡単な説明】
【００１６】
【図１】携帯電話の外観の一例を示す図である。
【図２】本発明の携帯電話（携帯情報端末）１００の機能ブロック図である。
【図３】待ち受け画面から監視モード中に第三者がボタンを操作したことを表示する一例を示す図である。
【図４】本発明の履歴情報の一例を示す図である。
【図５】本発明の第１の実施形態の動作フローチャートである。
【図６】本発明の第２の実施形態の動作フローチャートである。
【符号の説明】
【００１７】
１  レシーバ、９  マイク、１５  表示部（表示手段）、２０  入力部（入力手段）、２２  アンテナ、２１  送受信部、２３  制御部、２４  読取専用メモリ（ＲＯＭ）、１００  携帯電話
【図１】
2006060685.tif 000003
【図２】
2006060685.tif 000004
【図３】
2006060685.tif 000005
【図４】
2006060685.tif 000006
【図５】
2006060685.tif 000007
【図６】
2006060685.tif 000008